【手続補正書】
【提出日】平成29年11月20日(2017.11.20)
【手続補正１】
【補正対象書類名】明細書
【補正対象項目名】発明の名称
【補正方法】変更
【補正の内容】
【発明の名称】焦点検出装置及びその制御方法
【手続補正２】
【補正対象書類名】特許請求の範囲
【補正対象項目名】全文
【補正方法】変更
【補正の内容】
【特許請求の範囲】
【請求項１】
焦点状態を検出する焦点検出手段と、
前記焦点検出手段により検出された前記焦点状態の補正に用いる補正値を取得する取得手段と、
補正値を記憶する記憶手段と、を有し、
前記記憶手段に記憶された補正値と、前記取得手段により取得された補正値との差が閾値より小さい場合に、前記記憶手段に記憶された補正値が更新されないことを特徴とする焦点検出装置。
【請求項２】
前記記憶手段に記憶された補正値と、前記取得手段により取得された補正値との差が前記閾値以上ある場合に、前記取得手段により取得された補正値に基づいて前記記憶手段に記憶された補正値が更新されることを特徴とする請求項１に記載の焦点検出装置。
【請求項３】
前記閾値は、前記記憶手段に記憶された補正値の信頼性に応じて異なることを特徴とする請求項１または２に記載の焦点検出装置。
【請求項４】
前記取得手段は、焦点状態の異なる複数の画像の中から選択された画像に対応する焦点状態に基づいて、前記補正値を取得することを特徴とする請求項１乃至３のいずれか１項に記載の焦点検出装置。
【請求項５】
画像を撮像する撮像手段と、
フォーカス位置を制御する制御手段とを有し、
前記補正値を第１の手法により取得するモードにおいて、
前記制御手段は、異なる複数の位置に前記フォーカス位置が移動するように制御し、
それぞれのフォーカス位置において、前記撮像手段による画像の撮像と前記焦点検出手段による焦点状態の検出を行い、
前記取得手段は、複数の前記画像の中から選択された画像に対応する焦点状態に基づいて、前記補正値を取得することを特徴とする請求項１乃至４のいずれか１項に記載の焦点検出装置。
【請求項６】
前記補正値を前記第１の手法により取得するモードにおいて、各フォーカス位置において前記撮像手段により撮像された画像と前記焦点検出手段により検出された焦点状態とが関連づけて記憶され、前記取得手段は、記憶された複数の前記画像の中から選択された画像に対応する焦点状態に基づいて、前記補正値を取得することを特徴とする請求項５に記載の焦点検出装置。
【請求項７】
前記制御手段は、前記焦点検出手段により合焦と判定されたフォーカス位置を含む範囲において前記フォーカス位置が動くように、フォーカスレンズの移動を制御することを特徴とする請求項５または６に記載の焦点検出装置。
【請求項８】
前記取得手段は、前記第１の方法を含む複数の手法により前記補正値を取得することが可能であって、
前記第１の手法で前記補正値を取得する場合に、前記閾値は、前記記憶手段に記憶された補正値を取得した手法に応じて変更されることを特徴とする請求項５乃至７のいずれか１項に記載の焦点検出装置。
【請求項９】
前記補正値と、当該補正値を取得した手法に関する所定の情報とが関連づけて前記記憶手段に記憶され、
前記閾値は、前記記憶手段に記憶された補正値と関連づけて記憶された前記所定の情報に応じて変更されることを特徴とする請求項８に記載の焦点検出装置。
【請求項１０】
前記複数の手法は第２の手法を含み、
前記第２の手法は、ユーザーにより任意の前記補正値が設定される手法であることを特徴とする請求項８または９に記載の焦点検出装置。
【請求項１１】
前記第２の手法で前記補正値を取得する場合、ユーザーにより設定された前記補正値に基づいて前記記憶手段に記憶された前記補正値が更新されることを特徴とする請求項１０に記載の焦点検出装置。
【請求項１２】
前記補正値と、当該補正値を取得した手法に関する所定の情報とが関連づけて前記記憶手段に記憶され、
前記所定の情報が前記第２の手法を示す場合の前記閾値は、前記所定の情報が前記第１の手法を示す場合の前記閾値よりも小さいことを特徴とする請求項１０または１１に記載の焦点検出装置。
【請求項１３】
前記記憶手段は、前記補正値と、当該補正値を取得した手法に関する所定の情報とを関連付けて記憶し、
前記記憶手段に記憶された補正値が工場で調整された補正値である場合、当該補正値と関連づけて第３の手法を示す前記所定の情報が記憶され、
前記所定の情報が前記第３の手法を示す場合の前記閾値は、前記所定の情報が前記第１の手法を示す場合の前記閾値よりも大きいことを特徴とする請求項５乃至１２のいずれかに記載の焦点検出装置。
【請求項１４】
前記閾値は、前記所定の情報と関連づけて前記記憶手段に記憶されることを特徴とする請求項１２または１３に記載の焦点検出装置。
【請求項１５】
前記第１の手法により取得された前記補正値と、当該補正値の信頼性を示す評価値とが関連づけて前記記憶手段に記憶されることを特徴とする請求項５に記載の焦点検出装置。
【請求項１６】
前記評価値が第１の値のときの前記閾値は、前記評価値が前記第１の値よりも前記信頼性が低いことを示す第２の値のときの前記閾値よりも大きいことを特徴とする請求項１５に記載の焦点検出装置。
【請求項１７】
フォーカス位置を制御する制御手段を有し、
焦点調節の際に、前記制御手段は、前記焦点検出手段により検出された前記焦点状態と前記記憶手段に記憶された補正値とに基づくフォーカス位置に、前記フォーカス位置を移動するように制御することを特徴とする請求項１乃至１６のいずれか１項に記載の焦点検出装置。
【請求項１８】
前記制御手段は、フォーカスレンズの位置を移動させるように制御することで前記フォーカス位置を移動させることを特徴とする請求項１７に記載の焦点検出装置。
【請求項１９】
前記焦点状態はデフォーカス値であり、
前記補正値は、前記デフォーカス値を補正することで該デフォーカス値に基づく合焦位置を補正することを特徴とする請求項１乃至１８のいずれか１項に記載の焦点検出装置。
【請求項２０】
焦点状態を検出する焦点検出工程と、
前記焦点状態の補正に用いる補正値を取得する取得工程と、
補正値を記憶手段に記憶する記憶工程と、
前記記憶手段に記憶された補正値と、前記取得工程で取得した補正値との差が閾値以上ある場合に、前記取得工程で取得した補正値により前記記憶手段に記憶された補正値を更新する更新工程とを有し、
前記記憶手段に記憶された補正値と、前記取得工程で取得した補正値との差が閾値より小さい場合、前記記憶手段に記憶された補正値を更新しないことを特徴とする焦点検出装置の制御方法。
【請求項２１】
焦点検出装置が備えるコンピュータに、請求項２０に記載の制御方法の各工程を実行させるためのプログラム。
【請求項２２】
請求項２１に記載のプログラムを格納したコンピュータが読み取り可能な記憶媒体。
【手続補正３】
【補正対象書類名】明細書
【補正対象項目名】０００１
【補正方法】変更
【補正の内容】
【０００１】
本発明は、焦点検出装置及びその制御方法に関し、特に、自動焦点調節が可能な焦点検出装置及びその制御方法に関するものである。
【手続補正４】
【補正対象書類名】明細書
【補正対象項目名】０００８
【補正方法】変更
【補正の内容】
【０００８】
上記目的を達成するために、本発明の焦点検出装置は、焦点状態を検出する焦点検出手段と、前記焦点検出手段により検出された前記焦点状態の補正に用いる補正値を取得する取得手段と、補正値を記憶する記憶手段と、を有し、前記記憶手段に記憶された補正値と、前記取得手段により取得された補正値との差が閾値より小さい場合に、前記記憶手段に記憶された補正値が更新されない。
【手続補正５】
【補正対象書類名】明細書
【補正対象項目名】００５９
【補正方法】変更
【補正の内容】
【００５９】
一方、第１の信頼性評価値が第２の信頼性評価値以上の場合は、前回の調整条件と比較して、今回の方が相対的にユーザーが画像を選びにくいことや、焦点検出誤差が大きいことが見込まれるため、ＡＦ補正値算出の誤差が大きいことが見込まれる。そのため、補正閾値を比較的大きな値に設定することで、精度の悪化を防ぐ必要がある。そこで、第２の実施形態では、Ｓ３０４において補正閾値を３に設定する。これにより、良い条件下で実施したＡＦ補正値を、安易に変更することによる精度の悪化を防ぐことが可能となる。
【手続補正６】
【補正対象書類名】明細書
【補正対象項目名】００６１
【補正方法】削除
【補正の内容】
【手続補正７】
【補正対象書類名】図面
【補正対象項目名】図２
【補正方法】変更
【補正の内容】
【図２】
2016099525.tif 000001
【手続補正８】
【補正対象書類名】図面
【補正対象項目名】図５
【補正方法】変更
【補正の内容】
【図５】
2016099525.tif 000002